(57)【要約】【課題】閲覧した商品またはサービスの価格の計算単位を変化させて表示することにより、ユーザに商品またはサービスの価値を実感させやすくする。【解決手段】基礎物品候補記憶部８１は、商品またはサービスである販売商品等の価格を相当する数で表すための他の商品または他のサービスである基礎物品等の候補の価格を記憶する。基礎物品選択部８２は、所定の条件で、基礎物品等の候補の中から基礎物品等を選択する。基礎物品相当数計算部８３は、販売商品等の価格に相当する基礎物品等の数である基礎物品相当数を算出する。Webサーバ機能６１は、販売商品等の価格が基礎物品等の基礎物品相当数分であることを表示させる表示データが含まれるウェブページのデータを端末装置に送信する。本発明はサーバに適用できる。【選択図】図３
2011113498.tif 000002
【特許請求の範囲】
【請求項１】
所定の商品を販売するかまたは所定のサービスを提供するための所定のウェブページの閲覧が所定のユーザの端末装置から要求された場合、要求された前記ウェブページのデータを前記端末装置に提供する情報提供装置において、
閲覧が要求された前記ウェブページで販売される前記商品または提供される前記サービスである販売商品等の価格を相当する数で表すための他の商品または他のサービスである基礎物品等の候補の価格を記憶する記憶手段と、
所定の条件で、基礎物品等の候補の中から基礎物品等を選択する選択手段と、
前記販売商品等の価格を前記基礎物品等の価格で割り算することで、前記販売商品等の価格に相当する前記基礎物品等の数である基礎物品相当数を算出する相当数算出手段と、
前記販売商品等の価格が前記基礎物品等の前記基礎物品相当数分であることを表示させる表示データが含まれる前記ウェブページのデータを前記端末装置に送信する送信手段と
を備える情報提供装置。
【請求項２】
請求項１に記載の情報提供装置において、
前記記憶手段は、基礎物品等の候補の画像を記憶し、
前記送信手段は、前記基礎物品相当数の前記基礎物品等の画像を表示させる前記表示データが含まれる前記ウェブページのデータを前記端末装置に送信する
情報提供装置。
【請求項３】
請求項１又は２に記載の情報提供装置において、
前記選択手段は、前記ウェブページの閲覧が繰り返された場合、前回選択された基礎物品等とは異なる候補を前記基礎物品等として選択する
情報提供装置。
【請求項４】
請求項１又は２に記載の情報提供装置において、
前記選択手段は、前記ウェブページの閲覧が繰り返された場合、前回選択された基礎物品等より価格の高い候補を前記基礎物品等として選択する
情報提供装置。
【請求項５】
請求項１又は２に記載の情報提供装置において、
前記選択手段は、前記ウェブページの閲覧が繰り返された場合、前回選択された基礎物品等より価格の低い候補を前記基礎物品等として選択する
情報提供装置。
【請求項６】
請求項１又は２に記載の情報提供装置において、
前記ユーザがこれまでに購入した商品またはサービスである購入済み商品等の購入価格の平均値である平均購入価格を算出する平均購入価格算出手段と、
前記販売商品等の価格が前記平均購入価格より高いか否かを判定する判定手段と
をさらに備え、
前記選択手段は、前記販売商品等の価格が前記平均購入価格より高いと判定された場合、前記販売商品等の価格より高い価格の基礎物品等の候補の中から、最も低い価格の基礎物品等の候補を前記基礎物品等として選択し、前記販売商品等の価格が前記平均購入価格より高くないと判定された場合、前記販売商品等の価格より低い価格の基礎物品等の候補の中から、最も高い価格の基礎物品等の候補を前記基礎物品等として選択する
情報提供装置。
【請求項７】
請求項６に記載の情報提供装置において、
前記選択手段は、前記ウェブページの閲覧が繰り返された場合、前記販売商品等の価格が前記平均購入価格より高いと判定されたとき、前記基礎物品等として前回選択された基礎物品等の候補の次に低い価格の基礎物品等の候補を前記基礎物品等として新たに選択し、前記販売商品等の価格が前記平均購入価格より高くないと判定されたとき、前記基礎物品等として前回選択された基礎物品等の候補の次に高い価格の基礎物品等の候補を前記基礎物品等として新たに選択する
情報提供装置。
【請求項８】
請求項１又は２に記載の情報提供装置において、
前記ユーザがこれまでに購入した商品またはサービスである購入済み商品等の購入価格の平均値である平均購入価格を算出する平均購入価格算出手段と、
前記販売商品等の価格が前記平均購入価格より高いか否かを判定する判定手段と
をさらに備え、
前記選択手段は、前記販売商品等の価格が前記平均購入価格より高いと判定された場合、前記販売商品等の価格より高い価格の基礎物品等の候補の中から、最も高い価格の基礎物品等の候補を前記基礎物品等として選択し、前記販売商品等の価格が前記平均購入価格より高くないと判定された場合、前記販売商品等の価格より低い価格の基礎物品等の候補の中から、最も低い価格の基礎物品等の候補を前記基礎物品等として選択する
情報提供装置。
【請求項９】
請求項８に記載の情報提供装置において、
前記選択手段は、前記ウェブページの閲覧が繰り返された場合、前記販売商品等の価格が前記平均購入価格より高いと判定されたとき、前記基礎物品等として前回選択された基礎物品等の候補の次に高い価格の基礎物品等の候補を前記基礎物品等として新たに選択し、前記販売商品等の価格が前記平均購入価格より高くないと判定されたとき、前記基礎物品等として前回選択された基礎物品等の候補の次に低い価格の基礎物品等の候補を前記基礎物品等として新たに選択する
情報提供装置。
【請求項１０】
記憶手段、選択手段、相当数算出手段、および送信手段を備える情報提供装置であって、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法において、
前記記憶手段に、閲覧が要求された前記ウェブページで販売される前記商品または提供される前記サービスである販売商品等の価格を相当する数で表すための他の商品または他のサービスである基礎物品等の候補の価格を記憶し、
前記選択手段により、所定の条件で、基礎物品等の候補の中から基礎物品等を選択し、
前記相当数算出手段により、前記販売商品等の価格を前記基礎物品等の価格で割り算することで、前記販売商品等の価格に相当する前記基礎物品等の数である基礎物品相当数を算出し、
前記送信手段により、前記販売商品等の価格が前記基礎物品等の前記基礎物品相当数分であることを表示させる表示データが含まれる前記ウェブページのデータを前記端末装置に送信する
ステップを含む情報提供方法。
【請求項１１】
請求項１０に記載の情報提供方法において、
前記ウェブページの閲覧が繰り返された場合、前記選択手段により、前回選択された基礎物品等とは異なる候補が前記基礎物品等として選択される
情報提供方法。
【請求項１２】
請求項１０に記載の情報提供方法において、
前記ウェブページの閲覧が繰り返された場合、前記選択手段により、前回選択された基礎物品等より価格の高い候補が前記基礎物品等として選択される
情報提供方法。
【請求項１３】
請求項１０に記載の情報提供方法において、
前記ウェブページの閲覧が繰り返された場合、前記選択手段により、前回選択された基礎物品等より価格の低い候補が前記基礎物品等として選択される
情報提供方法。
【請求項１４】
所定の商品を販売するかまたは所定のサービスを提供するための所定のウェブページの閲覧が所定のユーザの端末装置から要求された場合、要求された前記ウェブページのデータを前記端末装置に提供するコンピュータに、
閲覧が要求された前記ウェブページで販売される前記商品または提供される前記サービスである販売商品等の価格を相当する数で表すための他の商品または他のサービスである基礎物品等の候補であって、予め価格が記憶されている基礎物品等の候補の中から、所定の条件で基礎物品等を選択し、
前記販売商品等の価格を前記基礎物品等の価格で割り算することで、前記販売商品等の価格に相当する前記基礎物品等の数である基礎物品相当数を算出し、
前記販売商品等の価格が前記基礎物品等の前記基礎物品相当数分であることを表示させる表示データが含まれる前記ウェブページのデータを前記端末装置に送信する
ステップを含む処理を実行させるプログラム。
【請求項１５】
請求項１４に記載のプログラムにおいて、
前記ウェブページの閲覧が繰り返された場合、前回選択された基礎物品等とは異なる候補が前記基礎物品等として選択される
プログラム。
【請求項１６】
請求項１４に記載のプログラムにおいて、
前記ウェブページの閲覧が繰り返された場合、前回選択された基礎物品等より価格の高い候補が前記基礎物品等として選択される
プログラム。
【請求項１７】
請求項１４に記載のプログラムにおいて、
前記ウェブページの閲覧が繰り返された場合、前回選択された基礎物品等より価格の低い候補が前記基礎物品等として選択される
プログラム。
【発明の詳細な説明】
【技術分野】
【０００１】
本発明は情報提供装置および方法、並びにプログラムに関し、特に、ウェブページを提供する情報提供装置および方法、並びにプログラムに関する。
【背景技術】
【０００２】
近年、多種多様の商品がウェブページにおいて販売されている。また、比較的高価な商品もウェブページにおいて販売されるようになってきた。
【０００３】
従来、通常の通貨単位を有する基準電子マネーの通貨単位を独自の通貨単位に変更するための換算率である通貨レートを設定する通貨レート・通貨単位設定手段と、前記通貨レートと独自の通貨単位を有するオリジナル電子マネーを発行する電子マネー発行部と、当該オリジナル電子マネーを識別するための識別情報を含む電子マネー情報とを備え、任意に設定可能な通貨レートと独自の通貨単位を有するオリジナル電子マネーを発行してウェブサイト上における商取引を行うオリジナル電子マネーシステムが提案されている（例えば、特許文献１参照）。
【先行技術文献】
【特許文献】
【０００４】
【特許文献１】特開２００３−７６８５１号公報
【発明の概要】
【発明が解決しようとする課題】
【０００５】
しかしながら、通貨単位を変更することはできたが、商品を販売しているEC（electronic commerce）サイトを訪れて商品の購入を迷っている顧客に対して価値判断の尺度を変えてアプローチすることはできなかった。
【０００６】
本発明は、このような状況に鑑みてなされたものであり、閲覧した商品またはサービスの価格を、異なる計算単位でもって表示することにより、ユーザに商品またはサービスの価値を実感させやすくするものである。
【課題を解決するための手段】
【０００７】
本発明の一側面の情報提供装置は、所定の商品を販売するかまたは所定のサービスを提供するための所定のウェブページの閲覧が所定のユーザの端末装置から要求された場合、要求された前記ウェブページのデータを前記端末装置に提供する情報提供装置であって、閲覧が要求された前記ウェブページで販売される前記商品または提供される前記サービスである販売商品等の価格を相当する数で表すための他の商品または他のサービスである基礎物品等の候補の価格を記憶する記憶手段と、所定の条件で、基礎物品等の候補の中から基礎物品等を選択する選択手段と、前記販売商品等の価格を前記基礎物品等の価格で割り算することで、前記販売商品等の価格に相当する前記基礎物品等の数である基礎物品相当数を算出する相当数算出手段と、前記販売商品等の価格が前記基礎物品等の前記基礎物品相当数分であることを表示させる表示データが含まれる前記ウェブページのデータを前記端末装置に送信する送信手段とを備える。
【０００８】
前記記憶手段には、基礎物品等の候補の画像を記憶させ、前記送信手段には、前記基礎物品相当数の前記基礎物品等の画像を表示させる前記表示データが含まれる前記ウェブページのデータを前記端末装置に送信させることができる。
【０００９】
前記選択手段は、前記ウェブページの閲覧が繰り返された場合、前回選択された基礎物品等とは異なる候補を前記基礎物品等として選択することができる。
【００１０】
前記選択手段は、前記ウェブページの閲覧が繰り返された場合、前回選択された基礎物品等より価格の高い候補を前記基礎物品等として選択することができる。
【００１１】
前記選択手段は、前記ウェブページの閲覧が繰り返された場合、前回選択された基礎物品等より価格の低い候補を前記基礎物品等として選択することができる。
【００１２】
前記ユーザがこれまでに購入した商品またはサービスである購入済み商品等の購入価格の平均値である平均購入価格を算出する平均購入価格算出手段と、前記販売商品等の価格が前記平均購入価格より高いか否かを判定する判定手段とをさらに設け、前記選択手段には、前記販売商品等の価格が前記平均購入価格より高いと判定された場合、前記販売商品等の価格より高い価格の基礎物品等の候補の中から、最も低い価格の基礎物品等の候補を前記基礎物品等として選択し、前記販売商品等の価格が前記平均購入価格より高くないと判定された場合、前記販売商品等の価格より低い価格の基礎物品等の候補の中から、最も高い価格の基礎物品等の候補を前記基礎物品等として選択させることができる。
【００１３】
前記選択手段には、前記ウェブページの閲覧が繰り返された場合、前記販売商品等の価格が前記平均購入価格より高いと判定されたとき、前記基礎物品等として前回選択された基礎物品等の候補の次に低い価格の基礎物品等の候補を前記基礎物品等として新たに選択し、前記販売商品等の価格が前記平均購入価格より高くないと判定されたとき、前記基礎物品等として前回選択された基礎物品等の候補の次に高い価格の基礎物品等の候補を前記基礎物品等として新たに選択させることができる。
【００１４】
前記ユーザがこれまでに購入した商品またはサービスである購入済み商品等の購入価格の平均値である平均購入価格を算出する平均購入価格算出手段と、前記販売商品等の価格が前記平均購入価格より高いか否かを判定する判定手段とをさらに設け、前記選択手段には、前記販売商品等の価格が前記平均購入価格より高いと判定された場合、前記販売商品等の価格より高い価格の基礎物品等の候補の中から、最も高い価格の基礎物品等の候補を前記基礎物品等として選択し、前記販売商品等の価格が前記平均購入価格より高くないと判定された場合、前記販売商品等の価格より低い価格の基礎物品等の候補の中から、最も低い価格の基礎物品等の候補を前記基礎物品等として選択させることができる。
【００１５】
前記選択手段には、前記ウェブページの閲覧が繰り返された場合、前記販売商品等の価格が前記平均購入価格より高いと判定されたとき、前記基礎物品等として前回選択された基礎物品等の候補の次に高い価格の基礎物品等の候補を前記基礎物品等として新たに選択し、前記販売商品等の価格が前記平均購入価格より高くないと判定されたとき、前記基礎物品等として前回選択された基礎物品等の候補の次に低い価格の基礎物品等の候補を前記基礎物品等として新たに選択させることができる。
【００１６】
本発明の一側面の情報提供方法は、記憶手段、選択手段、相当数算出手段、および送信手段を備える情報提供装置の、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法であって、前記記憶手段に、閲覧が要求された前記ウェブページで販売される前記商品または提供される前記サービスである販売商品等の価格を相当する数で表すための他の商品または他のサービスである基礎物品等の候補の価格を記憶し、前記選択手段により、所定の条件で、基礎物品等の候補の中から基礎物品等を選択し、前記相当数算出手段により、前記販売商品等の価格を前記基礎物品等の価格で割り算することで、前記販売商品等の価格に相当する前記基礎物品等の数である基礎物品相当数を算出し、前記送信手段により、前記販売商品等の価格が前記基礎物品等の前記基礎物品相当数分であることを表示させる表示データが含まれる前記ウェブページのデータを前記端末装置に送信するステップを含む。
【００１７】
前記ウェブページの閲覧が繰り返された場合、前記選択手段により、前回選択された基礎物品等とは異なる候補を前記基礎物品等として選択させることができる。
【００１８】
前記ウェブページの閲覧が繰り返された場合、前記選択手段により、前回選択された基礎物品等より価格の高い候補を前記基礎物品等として選択させることができる。
【００１９】
前記ウェブページの閲覧が繰り返された場合、前記選択手段により、前回選択された基礎物品等より価格の低い候補を前記基礎物品等として選択させることができる。
【００２０】
本発明の一側面のプログラムは、所定の商品を販売するかまたは所定のサービスを提供するための所定のウェブページの閲覧が所定のユーザの端末装置から要求された場合、要求された前記ウェブページのデータを前記端末装置に提供するコンピュータに、閲覧が要求された前記ウェブページで販売される前記商品または提供される前記サービスである販売商品等の価格を相当する数で表すための他の商品または他のサービスである基礎物品等の候補であって、予め価格が記憶されている基礎物品等の候補の中から、所定の条件で基礎物品等を選択し、前記販売商品等の価格を前記基礎物品等の価格で割り算することで、前記販売商品等の価格に相当する前記基礎物品等の数である基礎物品相当数を算出し、前記販売商品等の価格が前記基礎物品等の前記基礎物品相当数分であることを表示させる表示データが含まれる前記ウェブページのデータを前記端末装置に送信するステップを含む処理を実行させる。
【００２１】
前記ウェブページの閲覧が繰り返された場合、前回選択された基礎物品等とは異なる候補を前記基礎物品等として選択させることができる。
【００２２】
前記ウェブページの閲覧が繰り返された場合、前回選択された基礎物品等より価格の高い候補を前記基礎物品等として選択させることができる。
【００２３】
前記ウェブページの閲覧が繰り返された場合、前回選択された基礎物品等より価格の低い候補を前記基礎物品等として選択させることができる。
【００２４】
本発明の一側面においては、閲覧が要求されたウェブページで販売される商品または提供されるサービスである販売商品等の価格を相当する数で表すための他の商品または他のサービスである基礎物品等の候補の価格が記憶され、所定の条件で、基礎物品等の候補の中から基礎物品等が選択され、販売商品等の価格を基礎物品等の価格で割り算することで、販売商品等の価格に相当する基礎物品等の数である基礎物品相当数が算出され、販売商品等の価格が基礎物品等の基礎物品相当数分であることを表示させる表示データが含まれるウェブページのデータが端末装置に送信される。
【発明の効果】
【００２５】
以上のように、本発明の一側面によれば、閲覧した商品またはサービスの価格を、異なる計算単位でもって表示することにより、ユーザに商品またはサービスの価値を実感させやすくすることができる。
【図面の簡単な説明】
【００２６】
【図１】本発明の一実施の形態の情報提供システムの構成を示す図である。
【図２】サーバ１１のハードウェアの構成例を示すブロック図である。
【図３】サーバ１１において実現される機能の構成の例を示すブロック図である。
【図４】基礎物品の候補のデータの例を示す図である。
【図５】ウェブページの提供の処理の例を説明するフローチャートである。
【図６】ウェブページの例を示す図である。
【図７】ウェブページの例を示す図である。
【図８】ウェブページの提供の処理の他の例を説明するフローチャートである。
【図９】ウェブページの提供の処理のさらに他の例を説明するフローチャートである。
【発明を実施するための形態】
【００２７】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本発明の一側面の情報提供装置は、所定の商品を販売するかまたは所定のサービスを提供するための所定のウェブページの閲覧が所定のユーザの端末装置から要求された場合、要求された前記ウェブページのデータを前記端末装置に提供する情報提供装置（例えば、図１のサーバ１１）であって、閲覧が要求された前記ウェブページで販売される前記商品または提供される前記サービスである販売商品等の価格を相当する数で表すための他の商品または他のサービスである基礎物品等の候補の価格を記憶する記憶手段（例えば、図３の基礎物品候補記憶部８１）と、所定の条件で、基礎物品等の候補の中から基礎物品等を選択する選択手段（例えば、図３の基礎物品選択部８２）と、前記販売商品等の価格を前記基礎物品等の価格で割り算することで、前記販売商品等の価格に相当する前記基礎物品等の数である基礎物品相当数を算出する相当数算出手段（例えば、図３の基礎物品相当数計算部８３）と、前記販売商品等の価格が前記基礎物品等の前記基礎物品相当数分であることを表示させる表示データが含まれる前記ウェブページのデータを前記端末装置に送信する送信手段（例えば、図３のWebサーバ機能６１）とを備える。
【００２９】
前記ユーザがこれまでに購入した商品またはサービスである購入済み商品等の購入価格の平均値である平均購入価格を算出する平均購入価格算出手段（例えば、図３の平均購入価格計算部８５）と、前記販売商品等の価格が前記平均購入価格より高いか否かを判定する判定手段（例えば、図３の判定部８６）とをさらに設け、前記選択手段には、前記販売商品等の価格が前記平均購入価格より高いと判定された場合、前記販売商品等の価格より高い価格の基礎物品等の候補の中から、最も低い価格の基礎物品等の候補を前記基礎物品等として選択し、前記販売商品等の価格が前記平均購入価格より高くないと判定された場合、前記販売商品等の価格より低い価格の基礎物品等の候補の中から、最も高い価格の基礎物品等の候補を前記基礎物品等として選択させることができる。
【００３０】
前記ユーザがこれまでに購入した商品またはサービスである購入済み商品等の購入価格の平均値である平均購入価格を算出する平均購入価格算出手段（例えば、図３の平均購入価格計算部８５）と、前記販売商品等の価格が前記平均購入価格より高いか否かを判定する判定手段（例えば、図３の判定部８６）とをさらに設け、前記選択手段には、前記販売商品等の価格が前記平均購入価格より高いと判定された場合、前記販売商品等の価格より高い価格の基礎物品等の候補の中から、最も高い価格の基礎物品等の候補を前記基礎物品等として選択し、前記販売商品等の価格が前記平均購入価格より高くないと判定された場合、前記販売商品等の価格より低い価格の基礎物品等の候補の中から、最も低い価格の基礎物品等の候補を前記基礎物品等として選択させることができる。
【００３１】
本発明の一側面の情報提供方法は、記憶手段（例えば、図３の基礎物品候補記憶部８１）、選択手段（例えば、図３の基礎物品選択部８２）、相当数算出手段（例えば、図３の基礎物品相当数計算部８３）、および送信手段（例えば、図３のWebサーバ機能６１）を備える情報提供装置の、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法であって、前記記憶手段に、閲覧が要求された前記ウェブページで販売される前記商品または提供される前記サービスである販売商品等の価格を相当する数で表すための他の商品または他のサービスである基礎物品等の候補の価格を記憶し（例えば、図５のフローチャートで示されるウェブページの提供の処理の前に行われる手続き）、前記選択手段により、所定の条件で、基礎物品等の候補の中から基礎物品等を選択し（例えば、図５のステップＳ１２の手続き）、前記相当数算出手段により、前記販売商品等の価格を前記基礎物品等の価格で割り算することで、前記販売商品等の価格に相当する前記基礎物品等の数である基礎物品相当数を算出し（例えば、図５のステップＳ１３の手続き）、前記送信手段により、前記販売商品等の価格が前記基礎物品等の前記基礎物品相当数分であることを表示させる表示データが含まれる前記ウェブページのデータを前記端末装置に送信する（例えば、図５のステップＳ１５の手続き）ステップを含む。
【００３２】
本発明の一側面のプログラムは、所定の商品を販売するかまたは所定のサービスを提供するための所定のウェブページの閲覧が所定のユーザの端末装置から要求された場合、要求された前記ウェブページのデータを前記端末装置に提供するコンピュータに、閲覧が要求された前記ウェブページで販売される前記商品または提供される前記サービスである販売商品等の価格を相当する数で表すための他の商品または他のサービスである基礎物品等の候補であって、予め価格が記憶されている基礎物品等の候補の中から、所定の条件で基礎物品等を選択し（例えば、図５のステップＳ１２の手続き）、前記販売商品等の価格を前記基礎物品等の価格で割り算することで、前記販売商品等の価格に相当する前記基礎物品等の数である基礎物品相当数を算出し（例えば、図５のステップＳ１３の手続き）、前記販売商品等の価格が前記基礎物品等の前記基礎物品相当数分であることを表示させる表示データが含まれる前記ウェブページのデータを前記端末装置に送信する（例えば、図５のステップＳ１５の手続き）ステップを含む処理を実行させる。
【００３３】
図１は、本発明の一実施の形態の情報提供システムの構成を示す図である。情報提供システムは、サーバ１１、インターネット１２、およびユーザ端末装置１３−１乃至１３−３からなる。サーバ１１は、情報提供装置の一例であり、専用サーバ、パーソナルコンピュータ、または仮想サーバなどからなる。サーバ１１は、専用サーバ、パーソナルコンピュータ、または仮想サーバなどの組み合わせからなるシステムであっても良い。
【００３４】
サーバ１１は、インターネット１２を介して、ユーザ端末装置１３−１乃至１３−３のそれぞれに、商品を販売するかまたはサービスを提供するためのウェブページのデータを提供する。言い換えれば、サーバ１１は、インターネット１２を介して、ユーザ端末装置１３−１乃至１３−３のそれぞれに、商品の販売またはサービスの提供に関する情報をユーザに提示するためのウェブページのデータを提供する。
【００３５】
さらに、サーバ１１がデータを提供するウェブページにおいて、販売しようとする商品や提供しようとするサービスの価格が、他の物品や他のサービスの相当する数で表される。
【００３６】
ここで、ウェブページにおいて販売しようとする商品や提供しようとするサービスの価格を、相当する数で表す基準となる物品を基礎物品と称する。基礎物品には、コーヒーやハンバーガーなど、日常的に繰り返し購入される物品または身近な物品が採用される。なお、相当する数で表す基準には、コーヒーの提供やタクシーの運賃など、日常的に受けるサービスを用いるようにしてもよい。
【００３７】
さらに、販売しようとする商品の価格を表す基礎物品の数を基礎物品相当数と称する。
【００３８】
以下、ウェブページで販売しようとする商品について、基礎物品として商品が選択される場合を例に説明する。
【００３９】
すなわち、サーバ１１は、インターネット１２を介して、ユーザ端末装置１３−１乃至１３−３のそれぞれに、販売しようとする商品の価格が、基礎物品の基礎物品相当数で表されるウェブページのデータを提供する。
【００４０】
インターネット１２は、ネットワークの一例であり、有線または無線の汎用回線または専用回線や、有線または無線の複数のネットワーク、例えば、LAN（Local Area Network）またはWAN（Wide Area Network）などからなる。
【００４１】
ユーザ端末装置１３−１乃至１３−３は、パーソナルコンピュータや携帯電話機などであり、それぞれ、ユーザの操作に応じて、インターネット１２を介してサーバ１１からウェブページのデータを取得して、ウェブページをそれぞれのユーザに提示する。
【００４２】
以下、ユーザ端末装置１３−１乃至１３−３を個々に区別する必要がない場合、単に、ユーザ端末装置１３と称する。
【００４３】
図２は、サーバ１１のハードウェアの構成例を示すブロック図である。
【００４４】
サーバ１１において、CPU（Central Processing Unit）３１，ROM（Read Only Memory）３２，RAM（Random Access Memory）３３は、バス３４により相互に接続されている。
【００４５】
バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００４６】
以上のように構成されるサーバ１１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００４７】
コンピュータであるサーバ１１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、インターネット１２、デジタル衛星放送といった、有線または無線の伝送媒体を介して提供される。
【００４８】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００４９】
図３は、プログラムを実行するサーバ１１において実現される機能の構成の例を示すブロック図である。すなわち、サーバ１１がプログラムを実行すると、Webサーバ機能６１、ページデータ生成部６２、認証部６３、相当数表示制御部６４、ユーザデータベース６５、商品データベース６６、および購入履歴データベース６７が実現される。
【００５０】
Webサーバ機能６１は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式またはXML（Extensible Markup Language）方式などのウェブページのデータを提供する。
【００５１】
ページデータ生成部６２は、Webサーバ機能６１によって提供される、ウェブページのデータを生成する。認証部６３は、ユーザのユーザIDおよびパスワードを照合して、ユーザが正当であるか否かを認証する。
【００５２】
相当数表示制御部６４は、閲覧が要求されたウェブページで販売される商品の価格を相当する数で表すための他の商品である基礎物品の候補の価格を記憶し、所定の条件で、基礎物品の候補の中のいずれかを基礎物品として選択する。そして、相当数表示制御部６４は、販売商品の価格を基礎物品の価格で割り算することで、販売商品の価格に相当する基礎物品の数である基礎物品相当数を算出する。相当数表示制御部６４は、商品の価格が基礎物品の基礎物品相当数分であることを表示させる表示データを生成して、ページデータ生成部６２に供給する。ページデータ生成部６２は、この表示データが相当数表示制御部６４から供給された場合、ウェブページのデータに表示データを含める。
【００５３】
相当数表示制御部６４には、基礎物品候補記憶部８１、基礎物品選択部８２、基礎物品相当数計算部８３、及び表示データ生成部８４が含まれる。また、相当数表示制御部６４には、平均購入価格計算部８５、判定部８６、および選択履歴記録部８７がさらに含まれていてもよい。
【００５４】
基礎物品候補記憶部８１は、基礎物品の候補のデータを記憶する。図４は、基礎物品候補記憶部８１に記憶されている基礎物品の候補のデータの例を示す図である。基礎物品候補記憶部８１は、基礎物品の候補を特定する物品IDに対応付けて、基礎物品の候補の名前である物品名、基礎物品の候補の価格、および基礎物品の候補の画像を記憶する。なお、基礎物品候補記憶部８１には、ウェブページの提供の処理の前に、基礎物品の候補のデータが記憶される。また、基礎物品候補記憶部８１は、基礎物品の候補の画像データを格納するファイルのファイル名を記憶するようにしてもよい。
【００５５】
図４に示される例において、基礎物品候補記憶部８１には、コーヒーを特定するxxxである物品IDに対応付けられて、コーヒーである物品名、３００円であるコーヒーの価格、およびaaaであるコーヒーの画像データを格納するファイルのファイル名が記憶され、また、うどんを特定するzzzである物品IDに対応付けられて、うどんである物品名、５００円であるうどんの価格、およびcccであるうどんの画像データを格納するファイルのファイル名が記憶される。
【００５６】
図３に戻り、基礎物品選択部８２は、所定の条件で、基礎物品候補記憶部８１にデータが記憶されている基礎物品等の候補の中から基礎物品等を選択する。
【００５７】
基礎物品相当数計算部８３は、閲覧が要求されたウェブページで販売される商品の価格を基礎物品の価格で割り算することで、ウェブページで販売される商品の価格を基礎物品の相当する数（商品の価格が基礎物品何個分に相当するかを表す数）で表す基礎物品相当数を算出する。表示データ生成部８４は、ウェブページで販売される商品の価格が基礎物品の基礎物品相当数分であることを表示させる表示データを生成する。
【００５８】
平均購入価格計算部８５は、ユーザがこれまでに購入した商品の価格の平均値である平均購入価格を計算する。判定部８６は、ウェブページで販売される商品の価格が平均購入価格より高いか否かを判定する。
【００５９】
選択履歴記録部８７は、ユーザ毎に、それぞれの基礎物品の候補が基礎物品として選択されたか否かを示す選択履歴をユーザデータベース６５に記録させる。
【００６０】
ユーザデータベース６５は、それぞれのユーザに関するデータを格納する。すなわち、ユーザデータベース６５は、ユーザの、氏名、住所、電話番号、電子メールアドレス、それぞれのユーザを特定するユーザID、ログインするためのパスワード、およびそれぞれの基礎物品の候補が基礎物品として選択されたか否かを示す選択履歴などをユーザ毎に記録する。
【００６１】
商品データベース６６は、それぞれの商品に関するデータを格納する。より詳しく説明すれば、商品データベース６６は、商品毎に、商品を特定する商品IDに対応させて、商品の名前、商品の画像、商品を製造するメーカ名、および商品の価格などを格納する。
【００６２】
購入履歴データベース６７は、ユーザ毎に、ユーザが購入した商品の履歴を格納する。すなわち、購入履歴データベース６７は、ユーザIDに対応付けて、購入された商品を特定する商品ID、商品の名前、商品の画像、購入した日付、購入した価格、購入した個数、購入した店舗を特定する店舗ID、掲載されているウェブページを特定するページIDなどを格納する。
【００６３】
なお、ユーザデータベース６５、商品データベース６６、および購入履歴データベース６７は、それぞれ、オペーレーティングシステムによって提供されるファイルシステム上に直接構築されるものであっても、データベース管理システムを用いて構築されるものであってもよい。また、ユーザデータベース６５、商品データベース６６、および購入履歴データベース６７のうち、いずれかを組み合わせて、１つのデータベースとするようにしてもよい。
【００６４】
次に、認証部６３によって正当なユーザであると認証されて、ログインしているユーザに対して、商品を販売するウェブページを提供するサーバ１１の処理について説明する。
【００６５】
図５は、ウェブページの提供の処理の例を説明するフローチャートである。ステップＳ１１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部６４に商品を販売するウェブページがリクエストされた旨を通知する。
【００６６】
ステップＳ１２において、相当数表示制御部６４の基礎物品選択部８２は、リクエストされたウェブページに掲載されている１つの商品に対して、基礎物品候補記憶部８１にデータが予め記憶されている基礎物品の候補の中から、所定の条件により１つの基礎物品を選択する。
【００６７】
なお、リクエストされたウェブページに複数の商品が掲載される場合には、複数の商品のそれぞれについて、１つの基礎物品が選択されて、以下の処理が実行される。図８および図９のフローチャートを参照して説明する処理においても同様である。
【００６８】
例えば、基礎物品選択部８２は、基礎物品候補記憶部８１にデータが予め記憶されている基礎物品の候補の中から、ランダムに基礎物品を選択する。例えば、基礎物品選択部８２は、基礎物品候補記憶部８１にデータが予め記憶されている基礎物品の候補の中から、基礎物品候補記憶部８１にデータが記憶されている順に、基礎物品を選択する。また、例えば、基礎物品選択部８２は、基礎物品候補記憶部８１にデータが予め記憶されている基礎物品の候補の中から、価格の高い順に基礎物品を選択するか、または、価格の低い順に基礎物品を選択する。
【００６９】
さらに、例えば、基礎物品選択部８２は、基礎物品候補記憶部８１にデータが予め記憶されている基礎物品の候補の中から、ウェブページに掲載されている商品の価格との差が最も小さい価格の基礎物品を選択するか、または、ウェブページに掲載されている商品の価格との差が最も大きい価格の基礎物品を選択する。
【００７０】
ステップＳ１３において、基礎物品相当数計算部８３は、リクエストされたウェブページにおいて販売される商品の価格を基礎物品の価格で割り算して得られた値（商と余剰のうちの商。ただし、商は整数とは限られない。）を基礎物品相当数とする。
【００７１】
ステップＳ１４において、表示データ生成部８４は、リクエストされたウェブページにおいて販売される商品の価格が、基礎物品の基礎物品相当数分に相当する（基礎物品の基礎物品相当数分である）ことを表示するためのデータを生成する。例えば、表示するためのデータは、基礎物品の名前、基礎物品の価格、基礎物品相当数、および基礎物品の画像（または基礎物品の画像が格納されているファイルのファイル名）を含む。表示データ生成部８４は、生成したデータをページデータ生成部６２に供給する。ページデータ生成部６２は、本来のウェブページのデータに、相当数表示制御部６４の表示データ生成部８４から供給されたデータを含める。ページデータ生成部６２は、商品の価格が基礎物品の基礎物品相当数分であることを表示するためのデータを含む、ウェブページのデータをWebサーバ機能６１に供給する。
【００７２】
ステップＳ１５において、Webサーバ機能６１は、ネットワークインタフェースである通信部３９を制御して、リクエストされたウェブページのデータであって、商品の価格が基礎物品の基礎物品相当数分であることを表示するためのデータを含むウェブページのデータを、インターネット１２を介して、リクエストしてきたユーザのユーザ端末装置１３宛てに送信して、ウェブページの提供の処理は終了する。
【００７３】
このように、商品の価格が基礎物品の基礎物品相当数分に相当することを表示するためのデータを含む、ウェブページのデータがユーザのユーザ端末装置１３に提供されることになる。
【００７４】
例えば、商品価格が１０，０００円である鞄が掲載されているウェブページがユーザに閲覧されると、基礎物品の候補から基礎物品としてコーヒーが選択される。すると、図６に示されるように、そのウェブページには、鞄の１０，０００円である商品価格と共に、コーヒーである基礎物品名、３００円である基礎物品の価格、および３３．３杯である基礎物品相当数、並びに３３．３杯分の基礎物品の画像（図６中のコーヒーカップの画像）が表示されることになる。なお、この場合、基礎物品相当数の小数点以下の端数分のコーヒーカップの画像として、１杯分のコーヒーカップの画像に対して端数分の割合だけ切り取った画像が、表示データ生成部８４において生成される。従って、このウェブページを閲覧したユーザは、１０，０００円の鞄が、３００円のコーヒー３３．３杯分の価値を持つことを容易に認識できる。
【００７５】
例えば、そのウェブページが同じユーザに再度閲覧されると、次に、前回選択された基礎物品等であるコーヒーとは異なる候補を基礎物品等として選択する。例えば、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、前回選択されたコーヒーより価格の高い候補のうちで最も価格の低いうどんを基礎物品等として選択する。その場合、図７に示されるように、そのウェブページには、鞄の１０，０００円である商品価格と共に、うどんである基礎物品名、５００円である基礎物品の価格、および２０杯である基礎物品相当数、並びに２０杯分の基礎物品の画像（図７中のうどん丼の画像）が表示されることになる。これにより、このウェブページを再度閲覧したユーザは、１０，０００円の鞄が、５００円のうどん２０杯分の価値を持つことを容易に認識できる。すなわち、この場合、ユーザは、１０，０００円の鞄が、３００円のコーヒー３３．３杯分の価値を持つことと、同じその鞄が、５００円のうどん２０杯分の価値を持つこととを容易に認識するようになる。
【００７６】
このように、閲覧した商品の価格を、単純な価格表示とは異なる計算単位を基準として表示することができる。これにより、ユーザに閲覧する商品の価値を実感させやすくすることができる。
【００７７】
同じユーザにウェブページが再度閲覧された場合に、基礎物品の候補から前回と異なる基礎物品を選択すれば、計算単位そのものも変化させて、閲覧した商品の価格を表示することができる。これにより、閲覧の度に異なる計算単位、即ち価値尺度を基準としてユーザに閲覧商品の価値を表示することが可能となる。閲覧を繰り返すことを即ち購入を迷っていることと捉えた場合、このように閲覧の度に異なる価値尺度で閲覧商品の価値を表示させることで、ユーザに閲覧商品の価値を実感させやすくすることができる。
【００７８】
特に、閲覧の度に、基礎物品を価格の高い候補に変化させていくことで、表示させる基礎物品相当数を減らしていくことができる。これにより、ユーザはより一層、閲覧商品の価値を容易に把握することができるようになる。
【００７９】
また、例えば、そのウェブページが同じユーザに再度閲覧されると、基礎物品選択部８２は、前回選択されたコーヒーより価格の低いものを基礎物品として選択することで、コーヒーとは異なる候補を基礎物品等として選択してもよい。この場合、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、前回選択されたコーヒーより価格の低い候補のうちで最も価格の高いハンバーガーを基礎物品等として選択してもよい。その場合、そのウェブページには、鞄の１０，０００円である商品価格と共に、ハンバーガーである基礎物品名、２５０円である基礎物品の価格、および４０個である基礎物品相当数、並びに４０個分の基礎物品の画像（ハンバーガーの画像）が表示されることになる。これにより、このウェブページを再度閲覧したユーザは、１０，０００円の鞄が、２５０円のハンバーガー４０個分の価値を持つことを容易に認識できる。すなわち、この場合、ユーザは、１０，０００円の鞄が、３００円のコーヒー３３．３杯分の価値を持つことと、同じその鞄が、２５０円のハンバーガー４０個分の価値を持つこととを容易に認識するようになる。
【００８０】
このように、閲覧の度に、基礎物品を価格の低い候補に変化させていくことで、表示させる基礎物品をより一層身近なものに変化させていくことができる。これにより、ユーザはより一層、閲覧商品の価値を容易に把握することができるようになる。
【００８１】
なお、上述の方法で、閲覧の度に基礎商品を変化させる場合、相当数表示制御部６４は平均購入価格計算部８５、判定部８６、及び選択履歴記録部８７を含んでいなくてもよい。
【００８２】
また、これまでに購入した商品の価格を基準として、基礎物品の候補から基礎物品を選択することもできる。
【００８３】
図８は、これまでに購入した商品の価格を基準として基礎物品の候補から基礎物品を選択する場合の、ウェブページの提供の処理の例を説明するフローチャートである。ステップＳ４１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部６４に商品を販売するウェブページがリクエストされた旨を通知する。
【００８４】
ステップＳ４２において、平均購入価格計算部８５は、ユーザを特定するユーザIDをキーとして、ユーザが購入した商品の価格を購入履歴データベース６７から検索して、ユーザがこれまでに購入した商品の価格を購入履歴データベース６７から読み出す。ステップＳ４３において、平均購入価格計算部８５は、ユーザがこれまでに購入した商品の価格の平均値である平均購入価格を計算する。
【００８５】
ステップＳ４４において、判定部８６は、リクエストされたウェブページの商品の価格が平均購入価格より高いか否かを判定する。ステップＳ４４において、リクエストされたウェブページの商品の価格が平均購入価格より高いと判定された場合、手続きはステップＳ４５に進み、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、ウェブページの商品の価格より価格の高い基礎物品の候補の中から、最も価格の低い基礎物品の候補を基礎物品に選択する。ステップＳ４５の後、手続きはステップＳ４７に進む。
【００８６】
一方、ステップＳ４４において、リクエストされたウェブページの商品の価格が平均購入価格より高くないと判定された場合、手続きはステップＳ４６に進み、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、ウェブページの商品の価格より価格の低い基礎物品の候補の中から、最も価格の高い基礎物品の候補を基礎物品に選択する。ステップＳ４６の後、手続きはステップＳ４７に進む。
【００８７】
ステップＳ４７において、基礎物品相当数計算部８３は、リクエストされたウェブページにおいて販売される商品の価格を基礎物品の価格で割り算して得られた値を基礎物品相当数とする。ステップＳ４８において、表示データ生成部８４は、ステップＳ１４の手続きと同様に、リクエストされたウェブページにおいて販売される商品の価格が、基礎物品の基礎物品相当数分に相当することを表示するためのデータを生成する。表示データ生成部８４は、生成したデータをページデータ生成部６２に供給する。ページデータ生成部６２は、本来のウェブページのデータに、相当数表示制御部６４の表示データ生成部８４から供給されたデータを含める。ページデータ生成部６２は、商品の価格が、基礎物品の基礎物品相当数分に相当することを表示するためのデータを含む、ウェブページのデータをWebサーバ機能６１に供給する。
【００８８】
ステップＳ４９において、選択履歴記録部８７は、ウェブページをリクエストしてきたそのユーザについて基礎物品の候補が基礎物品として選択されたことを示す選択履歴をユーザデータベース６５に記録する。例えば、選択履歴は、ウェブページをリクエストしてきたそのユーザを特定するユーザIDに対応付けられて、基礎物品として選択された基礎物品の候補を特定する物品IDを格納する。
【００８９】
ステップＳ５０において、選択履歴記録部８７は、ユーザデータベース６５に記録されている選択履歴を参照して、ウェブページをリクエストしてきたそのユーザについて、基礎物品候補記憶部８１にデータが記憶されている基礎物品の候補の全部が基礎物品に選択されたか否かを判定する。ステップＳ５０において、基礎物品の候補の全部が基礎物品に選択されたと判定された場合、手続きはステップＳ５１に進み、選択履歴記録部８７は、そのユーザについての基礎物品の候補の選択の履歴をリセットする。すなわち、ステップＳ５１において、選択履歴記録部８７は、ウェブページをリクエストしてきたそのユーザについて、基礎物品の候補のいずれもが基礎物品として選択されていないことを示す選択履歴をユーザデータベース６５に記録する。ステップＳ５１の後、手続きはステップＳ５２に進む。
【００９０】
ステップＳ５０において、基礎物品の候補の全部が基礎物品に選択されていないと判定された場合、まだ、基礎物品候補記憶部８１にデータが記憶されている基礎物品の候補から基礎物品を選択することができるので、ステップＳ５１の手続きはスキップされて、手続きはステップＳ５２に進む。
【００９１】
ステップＳ５２において、Webサーバ機能６１は、ネットワークインタフェースである通信部３９を制御して、リクエストされたウェブページのデータであって、商品の価格が基礎物品の基礎物品相当数分であることを表示するためのデータを含むウェブページのデータを、インターネット１２を介して、リクエストしてきたユーザのユーザ端末装置１３宛てに送信して、ウェブページの提供の処理は終了する。
【００９２】
このようにすることで、リクエストされたウェブページの商品の価格が平均購入価格より高い場合には、ウェブページの商品の価格より高い価格であって、これに近い価格の基礎物品の候補が基礎物品として選択され、リクエストされたウェブページの商品の価格が平均購入価格より高くない場合には、ウェブページの商品の価格より低い価格であって、これに近い価格の基礎物品の候補が基礎物品として選択されるので、リクエストされたウェブページの商品の価格がより身近に感じられることになる。
【００９３】
図９は、これまでに購入した商品の価格を基準として基礎物品の候補から基礎物品を選択する場合の、ウェブページの提供の処理の他の例を説明するフローチャートである。ステップＳ７１乃至ステップＳ７３の手続きは、それぞれ、図８のステップＳ４１乃至ステップＳ４３のそれぞれの手続きと同様なので、その説明は省略する。
【００９４】
ステップＳ７４において、判定部８６は、リクエストされたウェブページの商品の価格が平均購入価格より高いか否かを判定する。ステップＳ７４において、リクエストされたウェブページの商品の価格が平均購入価格より高いと判定された場合、手続きはステップＳ７５に進み、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、ウェブページの商品の価格より価格の高い基礎物品の候補の中から、最も価格の高い基礎物品の候補を基礎物品に選択する。ステップＳ７４の後、手続きはステップＳ７７に進む。
【００９５】
一方、ステップＳ７４において、リクエストされたウェブページの商品の価格が平均購入価格より高くないと判定された場合、手続きはステップＳ７６に進み、基礎物品選択部８２は、ユーザデータベース６５に記録されている選択履歴を参照して、基礎物品候補記憶部８１にデータが記憶されている基礎物品の候補のうち、そのユーザについて、まだ基礎物品として選択されていない基礎物品の候補であって、ウェブページの商品の価格より価格の低い基礎物品の候補の中から、最も価格の低い基礎物品の候補を基礎物品に選択する。ステップＳ７５の後、手続きはステップＳ７７に進む。
【００９６】
ステップＳ７７乃至ステップＳ８２の手続きは、それぞれ、図８のステップＳ４７乃至ステップＳ５２のそれぞれの手続きと同様なので、その説明は省略する。
【００９７】
このようにすることで、リクエストされたウェブページの商品の価格が平均購入価格より高い場合には、ユーザの購買意欲が高まっていると考えられるので、ウェブページの商品の価格より高い価格であって、最も高い価格の基礎物品の候補が基礎物品として選択され、ユーザに閲覧する商品の価値を実感させやすくすることができる。逆に、リクエストされたウェブページの商品の価格が平均購入価格より高くない場合には、ユーザの購買意欲が減退していると考えられるので、ウェブページの商品の価格より低い価格であって、最も低い価格の基礎物品の候補が基礎物品として選択され、ユーザに閲覧する商品の価値を実感させやすくすることができる。
【００９８】
以上のように、基礎物品の候補から、ユーザのそのときの購買意欲にマッチした基礎物品を選択することで、ユーザに閲覧する商品の価値をより実感させやすくすることができる。
【００９９】
このように、閲覧した商品の価格の計算単位を変化させて表示することができ、商品の価値を実感させやすくすることができる。
【０１００】
なお、上述したように、商品の価格が、商品である基礎物品の相当する数で表すと説明したが、これに限らず、商品またはサービスの価格を、他の商品または他のサービスの相当する数で表すようにしてもよい。この場合、商品やサービスの価格を、相当する数で表す基準となる物品またはサービスを基礎物品等と称する。また、ユーザがこれまでに購入した商品またはサービスを購入済み商品等と称する。さらに、ウェブページで販売される商品または提供されるサービスを販売商品等と称する。
【０１０１】
また、基礎物品候補記憶部８１に、基礎物品の候補のデータが記憶されると説明したが、これに限らず、商品データベース６６にデータが記憶されている商品またはサービスを基礎物品の候補とするようにしてもよい。さらに、商品データベース６６に、ユーザ毎に、基礎物品の候補のデータを記憶させるようにしてもよい。
【０１０２】
このように、基礎物品の価格で商品の価格を割り算するようにした場合には、閲覧した商品の価格の計算単位を変化させて表示することができる。また、閲覧が要求されたウェブページで販売される商品または提供されるサービスである販売商品等の価格を相当する数で表すための他の商品または他のサービスである基礎物品等の候補の価格を記憶し、所定の条件で、基礎物品等の候補の中から基礎物品等を選択し、販売商品等の価格を基礎物品等の価格で割り算することで、販売商品等の価格に相当する基礎物品等の数である基礎物品相当数を算出し、販売商品等の価格が基礎物品等の基礎物品相当数分であることを表示させる表示データが含まれるウェブページのデータを端末装置に送信するようにした場合には、閲覧した商品またはサービスの価格の計算単位を変化させて表示することにより、ユーザに商品またはサービスの価値を実感させやすくすることができる。
【０１０３】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１０４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０５】
また、本発明の実施の形態は、上述した実施の形態に限定されるものではなく、本発明の要旨を逸脱しない範囲において種々の変更が可能である。
【符号の説明】
【０１０６】
１１  サーバ，  １２  インターネット，  ３１  CPU，  ３２  ROM，  ３３  RAM，  ３８  記憶部，  ３９  通信部，  ４１  リムーバブルメディア，  ６１  Webサーバ機能，  ６２  ページデータ生成部，  ６３  認証部，  ６４  相当数表示制御部，  ６５  ユーザデータベース，  ６６  商品データベース，  ６７  購入履歴データベース，  ８１  基礎物品候補記憶部，  ８２  基礎物品選択部，  ８３  基礎物品相当数計算部，  ８４  表示データ生成部，  ８５  平均購入価格計算部，  ８６  判定部，  ８７  選択履歴記録部
【図１】
2011113498.tif 000003
【図２】
2011113498.tif 000004
【図３】
2011113498.tif 000005
【図４】
2011113498.tif 000006
【図５】
2011113498.tif 000007
【図６】
2011113498.tif 000008
【図７】
2011113498.tif 000009
【図８】
2011113498.tif 000010
【図９】
2011113498.tif 000011
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
所定の商品を販売するかまたは所定のサービスを提供するための所定のウェブページの閲覧が所定のユーザの端末装置から要求された場合、要求された前記ウェブページのデータを前記端末装置に提供する情報提供装置において、
閲覧が要求された前記ウェブページで販売される前記商品または提供される前記サービスである販売商品等の価格を相当する数で表すための他の商品または他のサービスである基礎物品等の候補の中から、所定の条件で基礎物品等を選択する選択手段と、
前記販売商品等の価格を前記基礎物品等の価格で割り算することで、前記販売商品等の価格に相当する前記基礎物品等の数である基礎物品相当数を算出する相当数算出手段と、
前記販売商品等の価格が前記基礎物品等の前記基礎物品相当数分であることを表示させる表示データが含まれる前記ウェブページのデータを前記端末装置に送信する送信手段と
を備える情報提供装置。
【請求項２】
請求項１に記載の情報提供装置において、
前記選択手段は、前記ウェブページの閲覧が繰り返された場合、前回選択された基礎物品等とは異なる候補を前記基礎物品等として選択する
情報提供装置。
【請求項３】
請求項１に記載の情報提供装置において、
前記選択手段は、前記ウェブページの閲覧が繰り返された場合、前回選択された基礎物品等より価格の高い候補を前記基礎物品等として選択する
情報提供装置。
【請求項４】
請求項１に記載の情報提供装置において、
前記選択手段は、前記ウェブページの閲覧が繰り返された場合、前回選択された基礎物品等より価格の低い候補を前記基礎物品等として選択する
情報提供装置。
【請求項５】
請求項１に記載の情報提供装置において、
前記ユーザがこれまでに購入した商品またはサービスである購入済み商品等の購入価格の平均値である平均購入価格を算出する平均購入価格算出手段と、
前記販売商品等の価格が前記平均購入価格より高いか否かを判定する判定手段と
をさらに備え、
前記選択手段は、前記販売商品等の価格が前記平均購入価格より高いと判定された場合、前記販売商品等の価格より高い価格の基礎物品等の候補の中から、最も低い価格の基礎物品等の候補を前記基礎物品等として選択し、前記販売商品等の価格が前記平均購入価格より高くないと判定された場合、前記販売商品等の価格より低い価格の基礎物品等の候補の中から、最も高い価格の基礎物品等の候補を前記基礎物品等として選択する
情報提供装置。
【請求項６】
請求項５に記載の情報提供装置において、
前記選択手段は、前記ウェブページの閲覧が繰り返された場合、前記販売商品等の価格が前記平均購入価格より高いと判定されたとき、前記基礎物品等として前回選択された基礎物品等の候補の次に低い価格の基礎物品等の候補を前記基礎物品等として新たに選択し、前記販売商品等の価格が前記平均購入価格より高くないと判定されたとき、前記基礎物品等として前回選択された基礎物品等の候補の次に高い価格の基礎物品等の候補を前記基礎物品等として新たに選択する
情報提供装置。
【請求項７】
請求項１に記載の情報提供装置において、
前記ユーザがこれまでに購入した商品またはサービスである購入済み商品等の購入価格の平均値である平均購入価格を算出する平均購入価格算出手段と、
前記販売商品等の価格が前記平均購入価格より高いか否かを判定する判定手段と
をさらに備え、
前記選択手段は、前記販売商品等の価格が前記平均購入価格より高いと判定された場合、前記販売商品等の価格より高い価格の基礎物品等の候補の中から、最も高い価格の基礎物品等の候補を前記基礎物品等として選択し、前記販売商品等の価格が前記平均購入価格より高くないと判定された場合、前記販売商品等の価格より低い価格の基礎物品等の候補の中から、最も低い価格の基礎物品等の候補を前記基礎物品等として選択する
情報提供装置。
【請求項８】
請求項７に記載の情報提供装置において、
前記選択手段は、前記ウェブページの閲覧が繰り返された場合、前記販売商品等の価格が前記平均購入価格より高いと判定されたとき、前記基礎物品等として前回選択された基礎物品等の候補の次に高い価格の基礎物品等の候補を前記基礎物品等として新たに選択し、前記販売商品等の価格が前記平均購入価格より高くないと判定されたとき、前記基礎物品等として前回選択された基礎物品等の候補の次に低い価格の基礎物品等の候補を前記基礎物品等として新たに選択する
情報提供装置。
【請求項９】
請求項１に記載の情報提供装置において、
基礎物品等の候補の価格を記憶する記憶手段をさらに備える
情報提供装置。
【請求項１０】
請求項９に記載の情報提供装置において、
前記記憶手段は、基礎物品等の候補の画像を記憶し、
前記送信手段は、前記基礎物品相当数の前記基礎物品等の画像を表示させる前記表示データが含まれる前記ウェブページのデータを前記端末装置に送信する
情報提供装置。
【請求項１１】
選択手段、相当数算出手段、および送信手段を備える情報提供装置であって、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法において、
前記選択手段により、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し、
前記相当数算出手段により、前記販売商品等の価格を前記基礎物品等の価格で割り算することで、前記販売商品等の価格に相当する前記基礎物品等の数である基礎物品相当数を算出し、
前記送信手段により、前記販売商品等の価格が前記基礎物品等の前記基礎物品相当数分であることを表示させる表示データが含まれる前記ウェブページのデータを前記端末装置に送信する
ステップを含む情報提供方法。
【請求項１２】
請求項１１に記載の情報提供方法において、
前記ウェブページの閲覧が繰り返された場合、前記選択手段により、前回選択された基礎物品等とは異なる候補が前記基礎物品等として選択される
情報提供方法。
【請求項１３】
請求項１１に記載の情報提供方法において、
前記ウェブページの閲覧が繰り返された場合、前記選択手段により、前回選択された基礎物品等より価格の高い候補が前記基礎物品等として選択される
情報提供方法。
【請求項１４】
請求項１１に記載の情報提供方法において、
前記ウェブページの閲覧が繰り返された場合、前記選択手段により、前回選択された基礎物品等より価格の低い候補が前記基礎物品等として選択される
情報提供方法。
【請求項１５】
所定の商品を販売するかまたは所定のサービスを提供するための所定のウェブページの閲覧が所定のユーザの端末装置から要求された場合、要求された前記ウェブページのデータを前記端末装置に提供するコンピュータに、
閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し、
前記販売商品等の価格を前記基礎物品等の価格で割り算することで、前記販売商品等の価格に相当する前記基礎物品等の数である基礎物品相当数を算出し、
前記販売商品等の価格が前記基礎物品等の前記基礎物品相当数分であることを表示させる表示データが含まれる前記ウェブページのデータを前記端末装置に送信する
ステップを含む処理を実行させるプログラム。
【請求項１６】
請求項１５に記載のプログラムにおいて、
前記ウェブページの閲覧が繰り返された場合、前回選択された基礎物品等とは異なる候補が前記基礎物品等として選択される
プログラム。
【請求項１７】
請求項１５に記載のプログラムにおいて、
前記ウェブページの閲覧が繰り返された場合、前回選択された基礎物品等より価格の高い候補が前記基礎物品等として選択される
プログラム。
【請求項１８】
請求項１５に記載のプログラムにおいて、
前記ウェブページの閲覧が繰り返された場合、前回選択された基礎物品等より価格の低い候補が前記基礎物品等として選択される
プログラム。
【手続補正２】
【補正対象書類名】明細書
【補正対象項目名】０００７
【補正方法】変更
【補正の内容】
【０００７】
本発明の一側面の情報提供装置は、所定の商品を販売するかまたは所定のサービスを提供するための所定のウェブページの閲覧が所定のユーザの端末装置から要求された場合、要求された前記ウェブページのデータを前記端末装置に提供する情報提供装置であって、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択する選択手段と、前記販売商品等の価格を前記基礎物品等の価格で割り算することで、前記販売商品等の価格に相当する前記基礎物品等の数である基礎物品相当数を算出する相当数算出手段と、前記販売商品等の価格が前記基礎物品等の前記基礎物品相当数分であることを表示させる表示データが含まれる前記ウェブページのデータを前記端末装置に送信する送信手段とを備える。
【手続補正３】
【補正対象書類名】明細書
【補正対象項目名】０００８
【補正方法】変更
【補正の内容】
【０００８】
基礎物品等の候補の価格を記憶する記憶手段をさらに設けることができる。
前記記憶手段には、基礎物品等の候補の画像を記憶させ、前記送信手段には、前記基礎物品相当数の前記基礎物品等の画像を表示させる前記表示データが含まれる前記ウェブページのデータを前記端末装置に送信させることができる。
【手続補正４】
【補正対象書類名】明細書
【補正対象項目名】００１６
【補正方法】変更
【補正の内容】
【００１６】
本発明の一側面の情報提供方法は、選択手段、相当数算出手段、および送信手段を備え、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法であって、前記選択手段により、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し、前記相当数算出手段により、前記販売商品等の価格を前記基礎物品等の価格で割り算することで、前記販売商品等の価格に相当する前記基礎物品等の数である基礎物品相当数を算出し、前記送信手段により、前記販売商品等の価格が前記基礎物品等の前記基礎物品相当数分であることを表示させる表示データが含まれる前記ウェブページのデータを前記端末装置に送信するステップを含む。
【手続補正５】
【補正対象書類名】明細書
【補正対象項目名】００２０
【補正方法】変更
【補正の内容】
【００２０】
本発明の一側面のプログラムは、所定の商品を販売するかまたは所定のサービスを提供するための所定のウェブページの閲覧が所定のユーザの端末装置から要求された場合、要求された前記ウェブページのデータを前記端末装置に提供するコンピュータに、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し、前記販売商品等の価格を前記基礎物品等の価格で割り算することで、前記販売商品等の価格に相当する前記基礎物品等の数である基礎物品相当数を算出し、前記販売商品等の価格が前記基礎物品等の前記基礎物品相当数分であることを表示させる表示データが含まれる前記ウェブページのデータを前記端末装置に送信するステップを含む処理を実行させる。
【手続補正６】
【補正対象書類名】明細書
【補正対象項目名】００２４
【補正方法】変更
【補正の内容】
【００２４】
本発明の一側面においては、閲覧が要求されたウェブページで販売される商品または提供されるサービスである販売商品等の価格を相当する数で表すための他の商品または他のサービスである基礎物品等の候補の中から、所定の条件で基礎物品等が選択され、販売商品等の価格を基礎物品等の価格で割り算することで、販売商品等の価格に相当する基礎物品等の数である基礎物品相当数が算出され、販売商品等の価格が基礎物品等の基礎物品相当数分であることを表示させる表示データが含まれるウェブページのデータが端末装置に送信される。
【手続補正７】
【補正対象書類名】明細書
【補正対象項目名】００２８
【補正方法】変更
【補正の内容】
【００２８】
本発明の一側面の情報提供装置は、所定の商品を販売するかまたは所定のサービスを提供するための所定のウェブページの閲覧が所定のユーザの端末装置から要求された場合、要求された前記ウェブページのデータを前記端末装置に提供する情報提供装置（例えば、図１のサーバ１１）であって、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択する選択手段（例えば、図３の基礎物品選択部８２）と、前記販売商品等の価格を前記基礎物品等の価格で割り算することで、前記販売商品等の価格に相当する前記基礎物品等の数である基礎物品相当数を算出する相当数算出手段（例えば、図３の基礎物品相当数計算部８３）と、前記販売商品等の価格が前記基礎物品等の前記基礎物品相当数分であることを表示させる表示データが含まれる前記ウェブページのデータを前記端末装置に送信する送信手段（例えば、図３のWebサーバ機能６１）とを備える。
【手続補正８】
【補正対象書類名】明細書
【補正対象項目名】００２９
【補正方法】変更
【補正の内容】
【００２９】
基礎物品等の候補の価格を記憶する記憶手段（例えば、図３の基礎物品候補記憶部８１）をさらに設けることができる。
前記ユーザがこれまでに購入した商品またはサービスである購入済み商品等の購入価格の平均値である平均購入価格を算出する平均購入価格算出手段（例えば、図３の平均購入価格計算部８５）と、前記販売商品等の価格が前記平均購入価格より高いか否かを判定する判定手段（例えば、図３の判定部８６）とをさらに設け、前記選択手段には、前記販売商品等の価格が前記平均購入価格より高いと判定された場合、前記販売商品等の価格より高い価格の基礎物品等の候補の中から、最も低い価格の基礎物品等の候補を前記基礎物品等として選択し、前記販売商品等の価格が前記平均購入価格より高くないと判定された場合、前記販売商品等の価格より低い価格の基礎物品等の候補の中から、最も高い価格の基礎物品等の候補を前記基礎物品等として選択させることができる。
【手続補正９】
【補正対象書類名】明細書
【補正対象項目名】００３１
【補正方法】変更
【補正の内容】
【００３１】
本発明の一側面の情報提供方法は、選択手段（例えば、図３の基礎物品選択部８２）、相当数算出手段（例えば、図３の基礎物品相当数計算部８３）、および送信手段（例えば、図３のWebサーバ機能６１）を備え、所定の商品を販売するかまたは所定のサービスを提供するための所定のウェブページの閲覧が所定のユーザの端末装置から要求された場合、要求された前記ウェブページのデータを前記端末装置に提供する情報提供装置の情報提供方法であって、前記選択手段により、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し（例えば、図５のステップＳ１２の手続き）、前記相当数算出手段により、前記販売商品等の価格を前記基礎物品等の価格で割り算することで、前記販売商品等の価格に相当する前記基礎物品等の数である基礎物品相当数を算出し（例えば、図５のステップＳ１３の手続き）、前記送信手段により、前記販売商品等の価格が前記基礎物品等の前記基礎物品相当数分であることを表示させる表示データが含まれる前記ウェブページのデータを前記端末装置に送信する（例えば、図５のステップＳ１５の手続き）ステップを含む。
【手続補正１０】
【補正対象書類名】明細書
【補正対象項目名】００３２
【補正方法】変更
【補正の内容】
【００３２】
本発明の一側面のプログラムは、所定の商品を販売するかまたは所定のサービスを提供するための所定のウェブページの閲覧が所定のユーザの端末装置から要求された場合、要求された前記ウェブページのデータを前記端末装置に提供するコンピュータに、閲覧が要求された前記ウェブページで販売される前記商品または提供される前記サービスである販売商品等の価格を相当する数で表すための他の商品または他のサービスである基礎物品等の候補の中から、所定の条件で基礎物品等を選択し（例えば、図５のステップＳ１２の手続き）、前記販売商品等の価格を前記基礎物品等の価格で割り算することで、前記販売商品等の価格に相当する前記基礎物品等の数である基礎物品相当数を算出し（例えば、図５のステップＳ１３の手続き）、前記販売商品等の価格が前記基礎物品等の前記基礎物品相当数分であることを表示させる表示データが含まれる前記ウェブページのデータを前記端末装置に送信する（例えば、図５のステップＳ１５の手続き）ステップを含む処理を実行させる。